(57)【特許請求の範囲】
【請求項１】
フロートとカーテンからなる単位体同士を、少なくともフロート下縁に設けたテンションベルトの端部に一体に構成する連結具によって連結するようにした汚濁拡散防止装置において、上記テンションベルトの端部を多層部分として構成すると共に、その多層部分の各層の間に剛性の補強板を介在させ、フロートとカーテンからなる中心素材と上記多層部分と上記補強板の表裏両側から、端部にＤ環を取付けた連結具基板で挟定し、上記連結具基板、多層部分、補強板、中心素材を連通する複数の通孔を穿設し、それぞれの通孔を適宜な止め具で緊締して固定したことを特徴とする汚濁拡散防止装置。
【請求項２】
テンションベルトの端部に構成する多層部分が、第１テンションベルトを折り返し、更に外側に第２テンションベルトを重ねて構成したものであり、前記折り返した第１テンションベルトの間に補強板を抱持させるようにした請求項１記載の汚濁拡散防止装置。
【請求項３】
テンションベルトの端部に構成する多層部分が、テンションベルトを折り返して構成したものであり、前記テンションベルトの折り返し部分の間に補強板を抱持するようにした請求項１記載の汚濁拡散防止装置。
【請求項４】
テンションベルトの端部に構成する多層部分が、第１のテンションベルトに第２のテンションベルトを重ねて構成したものであり、前記第１のテンションベルトと第２のテンションベルトとの間に補強板を抱持するようにした請求項１記載の汚濁拡散防止装置。
【請求項５】
止め具がボルト・ナットである請求項１から請求項４のいずれか１項記載の汚濁拡散防止装置。
【発明の詳細な説明】
【技術分野】
【０００１】
この発明は、海域、河川域、ダム湖等における水質の汚濁拡散を防止するための汚濁拡散防止装置に関するもので、当該装置におけるフロートの連結部分の連結具の改良に関するものである。
【背景技術】
【０００２】
従来から、船舶の事故による油の流出や、海洋土木工事、河川工事等の際の埋め立てや浚渫によって発生する水質汚濁の拡散を防止するために、現場付近にオイルフェンス、シルトフェンス等の汚濁拡散防止装置を設置することが行われている。その汚濁拡散防止装置の一例として、例えば特許文献１に示す汚濁防止膜がある。
【０００３】
この汚濁防止膜の構成を大略すれば、所定長さのフロートと、このフロートに垂設され水中の所定深さまで展開するカーテンとからなる単位体を、連結具を介して複数個直列に連結すると共に、この単位体を係留ロープ等を介してアンカーブロックに係留することで汚濁域を包囲するようにしたものである。
【０００４】
フロートとしては、例えば円柱形の発泡合成樹脂製の浮き体を複数個、ターポリン等を素材とするフロートケースに収納したものなどが用いられる。また、カーテンも同様に各種合成繊維等を用いた布地やシート地、網地が用いられる。
【０００５】
そして、フロートとカーテンからなる単位体同士の連結には、フロートの端部の前面および後面に設けられる連結具と、この連結具同士を結合するシャックルを用いる。また、個々の連結具は板状の基板の先端部分にＤ環を取り付けた構成で、基板部分をフロートとカーテンの境界部に縫着されたテンションベルトにボルト・ナットを介して取り付けられるのが一般的である（特許文献１、第１図〜第３図参照）。
【０００６】
ところで、上記構成の汚濁拡散防止装置は、水上、水中に設置されるため、風波、波浪、潮流等により継続的かつ間歇的に種々の方向から力を受ける。特に、上記連結部分には異常な繰り返し荷重やねじれ荷重が作用する。この時、テンションベルトに対する連結具の取付構造は、ベルトを貫通するボルト・ナットを使用するものでは、ベルトにかかる張力をボルトの通孔部で受け止めるようになるので、該部に多大な力が加わって、テンションベルトやカーテンが通孔部から引き裂かれるという問題があった。
【０００７】
このため、例えば、特許文献２に示すように、テンションベルトの端部を補強した汚濁拡散防止装置が提案されている。
【０００８】
この汚濁拡散防止装置においては、テンションベルトの端部に、多層ベルト部を形成し、該多層ベルト部の表裏両面に、適宜に間隔を採って補強用当板を添装し、該当板から多層ベルト部に複数個の止具（ボルト・ナットなど）を貫通させて多層ベルト部を挟圧固定するようにしたものである。
【０００９】
【特許文献１】特開平４−６４６１４号公報
【特許文献２】特開２０００−２１２９４２号公報
【発明の開示】
【発明が解決しようとする課題】
【００１０】
このような構成によれば、多層ベルト部の厚みが実質的に増して引っ張り強度を強くしている。また、複数の当板に張力が分散されるので、テンションベルトの端部の強度が維持されるものである。
【００１１】
しかしながら、上記のような構成では、ベルトを多層にしたとしても、止具（ボルト）を介して作用する張力は布製のベルトに貫設した通孔にすべて作用するので、該通孔部分から布製ベルトが引き裂かれるおそれが多分に残るものであり、連結部分の強度になお不安が残るものであった。
【００１２】
また、適宜の間隔を採って複数の補強用当板を添装するものであるから、多数の部材が必要となり、製造コストが増大すると共に、製造工程も複雑となるという問題が残る。
【課題を解決するための手段】
【００１３】
本発明は、上記各課題を解決するためになされたものであり、請求項１に記載した発明は、フロートとカーテンからなる単位体同士を、少なくともフロート下縁に設けたテンションベルトの端部に一体に構成する連結具によって連結するようにした汚濁拡散防止装置において、上記テンションベルトの端部を多層部分として構成すると共に、その多層部分の各層の間に剛性の補強板を介在させ、フロートとカーテンからなる中心素材と上記多層部分と上記補強板の表裏両側から、端部にＤ環を取付けた連結具基板で挟定し、上記連結具基板、多層部分、補強板、中心素材を連通する複数の通孔を穿設し、それぞれの通孔を適宜な止め具で緊締して固定するという手段を採用したものである。
【００１４】
また、請求項２に記載した発明は、上記請求項１の発明において、テンションベルトの端部に構成する多層部分を、第１テンションベルトを折り返し、更に外側に第２テンションベルトを重ねて構成したものであり、前記折り返した第１テンションベルトの間に補強板を抱持させるようにするという手段を採用したものである。
【００１５】
また、請求項３に記載した発明は、上記請求項１の発明において、テンションベルトの端部に構成する多層部分を、テンションベルトを折り返して構成したものであり、前記テンションベルトの折り返し部分の間に補強板を抱持するという手段を採用したものである。
【００１６】
また、請求項４に記載した発明は、上記請求項１の発明において、テンションベルトの端部に構成する多層部分を、第１のテンションベルトに第２のテンションベルトを重ねて構成したものであり、前記第１のテンションベルトと第２のテンションベルトとの間に補強板を抱持するという手段を採用したものである。
【００１７】
そして、請求項５に記載した発明は、上記各発明において、止め具をボルト・ナットとするという手段を採用したものである。
【００１８】
上記構成によれば、多層になったテンションベルトや中心素材を連結具基板と剛性補強板、又は剛性補強板同士でそれぞれ挟定して止め具で緊締することになるので、挟定力がそれぞれのテンションベルトに分散し、かつ平均して荷重されるようになり、従来のように表裏両面の基板でのみこれらを挟定した場合に比べて、テンションベルト自体の位置ずれが生じ難くなり、該部を強固に挟持するという作用を奏するものである。さらに、各通孔部分にかかる荷重は、特に剛性の補強板に大きく負荷されることになる。
【発明の効果】
【００１９】
上述した構成の汚濁拡散防止装置は、止め具が、連結具基板、多層部分、補強板、中心素材を連通する通孔を貫通して設けているので、フロートやＤ環に異常な荷重が作用した場合に、それぞれの部材の通孔部分に荷重が分散して掛かり、該部における断裂を防止できるようになるものである。特に、鋼板等の金属板や強化プラスチック板、カーボングラファイト板等からなる剛性の補強板が介在するので、従来のように、布製のテンションベルトのみに通孔を設けたものに比べて、該補強板の通孔部分は非常に強固であり、該部の断裂を確実に防止することができるという格別の効果が期待できるものである。
【００２０】
併せて、上述したように、剛性の連結具基板や補強板と、テンションベルトや中心素材を交互に重ねて多層構造としているので、止め具による挟定力でテンションベルト等の位置ずれが生じない。そのため、テンションベルト等の通孔部分にかかる負荷はより軽減され、該部の断裂を防止できるものである。
【００２１】
また、テンションベルトの多層部分の構成を具体的に請求項２〜４に示すような構成とすることで、求める強度に応じて任意の構成を採用できるようにして、使用目的に応じた選択ができると共に、製造コストや製造工程の複雑さを勘案することができる。
【発明を実施するための最良の形態】
【００２２】
以下、本発明に係る汚濁拡散防止装置の好ましい実施形態について、図面に従って説明する。
【００２３】
図１は、本発明に係る汚濁拡散防止装置の連結部分の正面図、図２は、汚濁拡散防止装置の具体的構成を示す側面図である。図において、１はフロート２とカーテン３からなる単位体である。
【００２４】
この単位体１において、フロート２は、例えばターポリンからなるフロートケース２ａに発泡合成樹脂製の円柱形浮き体（図示せず）を複数個収納したものである。フロートケース２ａの上縁および下縁には、その全長に渡って、表裏から所定幅の強靱な布製のテンションベルト４、４をあてがって縫着している。但し、上縁のテンションベルト４は省略することもある。カーテン３は、合成繊維やビニール等からなる幅広の布地またはシート地または網地で構成され、上記フロート２から水中の所定の深さまで展開されるものである。そして、カーテン３は、適宜な手段によりフロート２に取り付けられる。図では、上記テンションベルト部分に上縁部を重ねて縫着しているが、これに限定されるものではなく、テンションベルトに適宜な取付け具を介して取り付けることもある。
【００２５】
このフロート２とカーテン３からなる単位体１を複数個、直列に連結することによって汚濁拡散防止装置が形成される。このとき、隣合うフロート２同士は、テンションベルト４の端部に一体に構成した連結具５とシャックル６で連結する。また、カーテン３同士は、縫合や結着等、適宜な公知の手段により連結し、汚濁水が漏出しないようにする。なお、上記フロートやカーテンの構成は、上述したものに限定されるものではなく、広く公知のものを採用できる。
【００２６】
次に、連結具５の具体的構成について説明すると、図２において、１１は中心に位置するフロートケースおよびカーテン素材である。図では一体に示しているが、例えば、カーテン素材をフロートケース素材が挟み込んだ３層に形成されるものである。ここでは、これを中心素材と呼ぶこととする。１２、１２は第１のテンションベルトで、上記中心素材１１を表裏両面から挟むと共に、終端部を所定長さ外側に折り返して２層に形成したものである。１３は剛性を有する補強板であり、鋼板等の金属板や強化プラスチック板、あるいはカーボングラファイト板等からなるもので、上記第１のテンションベルト１２の２層になった折り返し部分１２ａの中間に抱持するように介在させている。１４、１４は第２のテンションベルトで、少なくとも上記第１のテンションベルト１２の折り返し部分１２ａ全体を覆って設けたものである。前記折り返した第１のテンションベルトとそれに重ねる第２のテンションベルトで多層部分を構成する。そして、上記中心素材１１、第１のテンションベルト１２、１２、第２のテンションベルト１４、１４からなる多層構造となった部分は全体が一体に縫合されている。
【００２７】
また、上記第２のテンションベルト１４、１４の外側からは、上記多層構造の部分全体を、端部にＤ環１５ａを回動自在に取付けた連結具基板１５、１５で挟定し、ボルト・ナット１６、１６・・・で緊締している。即ち、重なった連結具基板１５、第２テンションベルト１４、第１テンションベルト１２、補強板１３、中心素材１１を連通して通孔を穿設し、この通孔にボルトを通して緊締したものである。なお、図ではボルト・ナットの数は６カ所であるが、これに限定されるものでないことは言うまでもない。また、ボルト・ナットに代え、適宜な止め具を用いることもある。
【００２８】
上記構成の連結具によれば、ボルトが、強靱な布製のテンションベルトだけでなく２枚の補強板の通孔も通っているので、フロート２やＤ環１５ａに異常な荷重が作用した場合にも、中心素材１１、テンションベルト１２、１４と補強板１３のそれぞれの通孔部分に荷重が分散して掛かり、該通孔部分の断裂を確実に防止できるものである。また、複数のボルトで緊締するので、同様に荷重が各ボルト部分に分散して、異常な荷重に耐えることができるものとなっている。
【００２９】
更に、連結具基板１５と剛性の補強板１３で第２のテンションベルト１４と第１のテンションベルトの折り返し部分１２ａを挟定し、一方、補強板１３同士で第１のテンションベルト１２と中心素材１１を挟定するようになるので、テンションベルト１２、１４や中心素材１１の位置ずれを生じることが少なく、特に、テンションベルト１２、１４や中心素材１１の通孔部分にかかる荷重が軽減され、該部における断裂を防止できる。
【００３０】
なお、上記実施形態では、第１のテンションベルト１２の端部を折り返して、多層に構成したが、この折り返し部分１２ａを省略して、第１のテンションベルトと第２のテンションベルトで多層部分を形成することもある。また、第１のテンションベルトは折り返して多層部分とし、第２のテンションベルトを省略することもある。要は、連結具基板の取付部分にテンションベルトの多層部分を形成すると共に、該部の層間に金属板等からなる補強板を重ねて介在させることにより、布製のテンションベルトのみにボルトを貫通させるのではなく、ベルトと補強板の両方にボルトを貫通させて荷重の分散を図り、該部の強化を図るものである。
【図面の簡単な説明】
【００３１】
【図１】本発明に係る汚濁拡散防止装置の連結部分の正面図である。
【図２】本発明に係る汚濁拡散防止装置の好ましい実施形態の構成を示す側面図である。
【符号の説明】
【００３２】
１    単位体
２    フロート
２ａ  フロートケース
３    カーテン
４    テンションベルト
５    連結具
６    シャックル
１１    中心素材
１２    第１のテンションベルト
１２ａ  折り返し部分
１３    補強板
１４    第２のテンションベルト
１５    連結具基板
１５ａ  Ｄ環
１６    ボルト・ナット
【図１】
0004533310.tif 000002
【図２】
0004533310.tif 000003